(57)【要約】    【課題】      合焦のための案内棒を設けることなく、容易に鮮明な接写画像を撮影することができるようにする。    【解決手段】  本体から完全に引き出したときにカメラ２の焦点距離と略一致するような長さとしたアンテナ３を設ける。これにより、接写時にこのアンテナ３を使用することで、容易に鮮明な接写画像を撮影することができる。また、従来のような合焦のための専用の案内棒を必要としないことから、機器本体の小型化や可搬性を阻害することがなく、また専用の案内棒を所持する煩わしさもなく、紛失したりすることもない。  【選択図】      図１
2006303851.tif 000002
【特許請求の範囲】
【請求項１】
接近した被写体の撮影が可能なカメラと、
先端までの長さが前記被写体の焦点距離を指し示す案内棒を兼用する伸縮自在なアンテナと、
を具備する無線通信端末。
【請求項２】
前記アンテナの状態を検知するアンテナ状態検知手段と、
前記アンテナ状態検知手段にて前記アンテナが完全に引き出されたことが検知されると、前記カメラを接写撮影に適した接写モードに切り替える撮影モード切り替え手段と、
を具備する請求項１に記載の無線通信端末。
【請求項３】
前記アンテナ状態検知手段にて前記アンテナが完全に引き出されたことが検知されて、前記撮影モード切り替え手段で前記カメラを接写モードに切り替えている状態で、前記アンテナ状態検知手段にて前記アンテナが収縮したことが検知されると、前記アンテナが完全に引き出された状態ではないことを通知する通知手段を具備する請求項２に記載の無線通信端末。
【請求項４】
カメラが搭載された携帯電話やＰＤＡを含む無線通信端末における接写撮影方法であって、
前記無線通信端末に設けられるアンテナの長さを、前記無線通信端末から完全に引き出したときに前記カメラの焦点距離と略一致するようにし、前記アンテナを前記無線通信端末から完全に引き出して、その先端を被写体に接近させた状態で撮影を行う無線通信端末における接写撮影方法。
【請求項５】
前記アンテナを前記無線通信端末から完全に引き出すと、前記カメラを接写撮影に適した接写モードに切り替え、また、前記アンテナを前記無線通信端末から完全に引き出した状態で前記アンテナが収縮した場合には前記アンテナが完全に引き出された状態ではないことを通知する請求項４に記載の無線通信端末における接写撮影方法。
【発明の詳細な説明】
【技術分野】
【０００１】
本発明は、カメラを備えた携帯電話やＰＤＡ(Personal Digital Assistant)等の無線通信端末及び無線通信端末における接写撮影方法に関する。
【背景技術】
【０００２】
従来、カメラにて短距離の被写体を撮影する場合、鮮明な撮影画像を得るために、被写体までの距離に応じてレンズを駆動して合焦させるオートフォーカス方法又は撮影者がカメラと被写体の距離を変化させて合焦させる方法が用いられている。
【０００３】
一方、携帯電話やＰＤＡなどの無線通信端末では、機器本体の小型化並びに軽量化を図るため、カメラにはオートフォーカス機構を採用しておらず、接写における焦点距離は固定された状態で合焦は困難である。ところで、カメラを備えた無線通信端末では、カメラで撮影したバーコードや文字などを識別することで情報を入力する場合があり、特に密度の高い画像情報の認識率を向上させるためには被写体に対する合焦は不可欠である。そこで、この種の無線通信端末でも合焦が可能なように、カメラ本体に案内棒を取り付け、その案内棒の先端付近に焦点が合うように構成したものが提案されている（例えば、特許文献１参照）。
【特許文献１】特開平９−１０２８９８号公報
【発明の開示】
【発明が解決しようとする課題】
【０００４】
しかしながら、従来の無線通信端末に特許文献１で開示された案内棒を適用しても、本体の小型化や可搬性を阻害してしまい、また案内棒を着脱可能としても本体とは別に携帯しなければならないので、煩わしく、また紛失してしまう虞があるという問題がある。
【０００５】
本発明はかかる点に鑑みてなされたものであり、合焦のための案内棒を設けることなく、容易に鮮明な接写画像を撮影することができる無線通信端末及び無線通信端末における接写撮影方法を提供することを目的とする。
【課題を解決するための手段】
【０００６】
（１）  本発明の無線通信端末の一つの態様は、接近した被写体の撮影が可能なカメラと、先端までの長さが前記被写体の焦点距離を指し示す案内棒を兼用する伸縮自在なアンテナと、を具備する構成を採る。
【０００７】
上記構成によれば、本体から完全に引き出したときにカメラの焦点距離と略一致するような長さとしたアンテナを備えるので、接写時にこのアンテナを使用することで、容易に鮮明な接写画像を撮影することができる。また、従来のような合焦のための専用の案内棒を必要としないことから、機器本体の小型化や可搬性を阻害することがなく、また専用の案内棒を所持したりする煩わしさもなく、紛失したりすることもない。
【０００８】
（２）  本発明の無線通信端末の一つの態様は、上記（１）に記載の無線通信端末において、前記アンテナの状態を検知するアンテナ状態検知手段と、前記アンテナ状態検知手段にて前記アンテナが完全に引き出されたことが検知されると、前記カメラを接写撮影に適した接写モードに切り替える撮影モード切り替え手段と、を具備する構成を採る。
【０００９】
上記構成によれば、アンテナが完全に引き出されたことを検知して、カメラを接写モードに切り替えるので、接写モードを選択する操作が不要となり、操作性向上が図れる。
【００１０】
（３）  本発明の無線通信端末の一つの態様は、上記（２）に記載の無線通信端末において、前記アンテナ状態検知手段にて前記アンテナが完全に引き出されたことが検知されて、前記撮影モード切り替え手段で前記カメラを接写モードに切り替えている状態で、前記アンテナ状態検知手段にて前記アンテナが収縮したことが検知されると、前記アンテナが完全に引き出された状態ではないことを通知する通知手段を具備する構成を採る。
【００１１】
上記構成によれば、カメラの焦点距離よりも近い距離で、誤って撮影してしまうことを防止することができる。
【００１２】
（４）  発明の無線通信端末における接写撮影方法の一つの態様は、カメラが搭載された携帯電話やＰＤＡを含む無線通信端末における接写撮影方法であって、前記無線通信端末に設けられるアンテナの長さを、前記無線通信端末から完全に引き出したときに前記カメラの焦点距離と略一致するようにし、前記アンテナを前記無線通信端末から完全に引き出して、その先端を被写体に接近させた状態で撮影を行う。
【００１３】
上記方法によれば、本体から完全に引き出したときにカメラの焦点距離と略一致するような長さとしたアンテナを接写時に使用することで、容易に鮮明な接写画像を撮影することができる。
【００１４】
（５）  本発明の無線通信端末における接写撮影方法の一つの態様は、上記（４）において、前記アンテナを前記無線通信端末から完全に引き出すと、前記カメラを接写撮影に適した接写モードに切り替え、また、前記アンテナを前記無線通信端末から完全に引き出した状態で前記アンテナが収縮した場合には前記アンテナが完全に引き出された状態ではないことを通知する。
【００１５】
上記方法によれば、アンテナを完全に引き出すと、カメラを接写モードに切り替え、アンテナを完全に引き出した後、アンテナが収縮すると、アンテナが完全に引き出された状態ではないことを通知するので、接写モードを選択する操作が不要となり、操作性向上が図れ、またカメラの焦点距離よりも近い距離で、誤って撮影してしまうことを防止することができる。
【発明の効果】
【００１６】
本発明によれば、合焦のための案内棒を設けることなく、容易に鮮明な接写画像を撮影することができる。
【発明を実施するための最良の形態】
【００１７】
以下、本発明の実施の形態について、図面を参照して詳細に説明する。
【００１８】
（実施の形態１）
図１は、本発明の実施の形態１に係る無線通信端末の外観を示す斜視図である。この図において、本実施の形態の無線通信端末１は、ＣＣＤ(Charge Coupled Device)等の撮像素子を使用したカメラ２と、本体に収納可能な棒状のアンテナ３とを備えている。アンテナ３は、本体から完全に引き出したときにカメラ２の焦点距離と略一致するような長さに形成されている。なお、アンテナ３そのものの長さをカメラ２の焦点距離と一致させる以外に、アンテナ３の仕様が予め決まっている場合にはアンテナ３を完全に引き出したときの長さに一致するように、カメラ２の焦点距離を設計するようにしても構わない。また、アンテナ３の長さがカメラ２の焦点距離よりも長い場合にはカメラ２による撮影時にカメラ２の焦点距離で止まるように規制する手段を設けても良い。
【００１９】
無線通信端末１のユーザは、図１に示すように近接した被写体４を接写撮影する際に、アンテナ３を完全に引き出し、無線通信端末１あるいは被写体４を移動して、引き出したアンテナ３の先端付近に被写体４を合わせて撮影する。カメラ２の焦点距離はアンテナ３の先端付近にあるので、カメラ２の焦点距離に被写体４が合焦する。ここで、カメラ２で撮影した被写体４の画像を処理してバーコードや文字などの情報を識別する場合には、情報を識別する範囲外においてアンテナ３が写り込んでも写り込まなくても良い。
【００２０】
このように本実施の形態の無線通信端末１によれば、本体から完全に引き出したときにカメラ２の焦点距離と略一致するような長さとしたアンテナ３を有しているので、接写時にこのアンテナ３を使用することで、容易に鮮明な接写画像を撮影することができる。また、従来のような合焦のための専用の案内棒を必要としないことから、機器本体の小型化や可搬性を阻害することがなく、また専用の案内棒を所持する煩わしさもなく、紛失したりすることもない。
【００２１】
（実施の形態２）
図２は、本発明の実施の形態２に係る無線通信端末の一部分の概略構成を示すブロック図である。なお、この図において図１と共通する部分には同一の符号を付けてその説明を省略する。
【００２２】
図２において、本実施の形態の無線通信端末１Ａは、カメラ２とアンテナ３の他に、アンテナ３の引き出しを検知するセンサ５と、カメラ２を制御するカメラ制御回路８と、カメラ２で撮影された画像を処理する画像処理回路９と、画像処理回路９の処理結果から画像を認識する画像認識回路１０と、無線通信端末１Ａの各部を制御するＣＰＵ（中央処理装置）１１とを備えている。なお、センサ５とＣＰＵ１１はアンテナ状態検知手段を構成し、またカメラ制御回路８とＣＰＵ１１は撮影モード切り替え手段を構成する。
【００２３】
なお、ＣＰＵ１１には図示しないプログラムメモリ及びワークメモリが図示せぬバスラインを介して接続されており、ＣＰＵ１１はプログラムメモリに格納されているプログラムに従ってワークメモリを使用しながら無線通信端末１Ａの各部を制御する。特に、センサ５によってアンテナ３の引き出しが検知されたときにはカメラ制御回路８と画像処理回路９を制御する。すなわち、アンテナ３が引き出されたときに、カメラ制御回路８には接写モードに移行する指示を与え、画像処理回路９にはカメラ２で撮影された画像を処理するように指示を与える。また、ＣＰＵ１１には、図１に示すキー入力部６も図示せぬバスラインを介して接続されており、このキー入力部６から入力されたキー信号に基づく処理を行う。
【００２４】
カメラ制御回路８は、ＣＰＵ１１から接写モードに移行する指示が与えられると、カメラ２を接写モードに移行させる。画像処理回路９は、例えばバーコードや文字を認識する場合には、ＣＰＵ１１からの指示に従ってカメラ２で撮影された画像からバーコードや文字を認識するための処理を行う。画像認識回路１０は、画像処理回路９の処理結果から情報を認識する。
【００２５】
このような構成において、無線通信端末１Ａのユーザが、カメラ２で撮影ができる状態において、無線通信端末１Ａに収納されているアンテナ３を引き出すと、アンテナ３が引き出されたことをセンサ５が検知してＣＰＵ１１に通知する。ＣＰＵ１１は、センサ５からの通知によってカメラ制御回路８に対して接写モードに移行するように指示を与え、これによりカメラ制御回路８はカメラ２を接写モードに移行させる。すなわち、ユーザはキー入力部６を操作してメニューを呼び出して、接写を行うモードを選択する操作を行うことなくアンテナ３を引き出すだけの操作で接写モードを呼び出すことができる。
【００２６】
そして、接写モードに移行した状態で、ユーザがキー入力部６の所定のキーに割り当てられたシャッターキー（図示略）を押すと、カメラ２によって撮影が行われる。このとき、撮影された画像がバーコード又は文字の場合、画像処理回路９で画像処理が行われた後、その画像処理結果から画像認識回路１０が情報を認識する。そして、認識された結果が無線通信端末１Ａの表示器７（図１参照）に表示される。例えば、図１に示すように、”ＡＢＣ１２３”が描かれた被写体４を撮影すると、その被写体４に描かれた”ＡＢＣ１２３”が画像処理された後、画像認識されてその結果が表示器７上に”ＡＢＣ１２３”として表示される。
【００２７】
このように本実施の形態の無線通信端末１Ａによれば、アンテナ３の引き出しを検知するセンサ５を備え、このセンサ５でアンテナ３の引き出しが検知されたときにカメラ２を接写モードに切り替えるので、接写モードを選択する操作が不要となり、操作性向上が図れる。
【００２８】
なお、本実施の形態では、センサ５でアンテナ３の引き出しのみを検知するようにしたが、アンテナ３の引き出しを検知して接写モードに移行した後、アンテナ３が被写体４に当たるなどして収縮したことも検知してユーザに知らせるようにしても良い。この場合、例えば表示器７の画面上にメッセージを表示したり、ブザー等で音を鳴らしたりすることで、アンテナ３が完全に引き出された状態でないことを通知する。このようにすることにより、ユーザにアンテナ３が完全に引き出された状態でないことを知らせることができ、被写体４との間の距離を保ち、カメラ２の焦点距離よりも近い距離で、誤って撮影をしてしまうことを防止することができる。表示器７の画面上にメッセージを表示したり、音を鳴らしたりする手段は、通知手段に対応する。
【産業上の利用可能性】
【００２９】
本発明は、カメラが搭載された携帯電話やＰＤＡ等の無線通信端末に適用して好適である。
【図面の簡単な説明】
【００３０】
【図１】本発明の実施の形態１に係る無線通信端末の外観を示す斜視図
【図２】本発明の実施の形態２に係る無線通信端末の一部分の概略構成を示すブロック図
【符号の説明】
【００３１】
１、１Ａ  無線通信端末
２  カメラ
３  アンテナ
４  被写体
５  センサ
６  キー入力部
７  表示器
８  カメラ制御回路
９  画像処理回路
１０  画像認識回路
１１  ＣＰＵ
【図１】
2006303851.tif 000003
【図２】
2006303851.tif 000004